(57)【要約】【課題】化粧箱に収納されている化粧品等を活用した利用者に最適なメイク方法の情報を提供する。【解決手段】利用者は、ＲＦ−ＩＤ付き化粧品等及び利用者情報を記録したＲＦ−ＩＤタグ搭載利用者ＩＤカードが収容されたＲＦ−ＩＤタグ用ＲＦ−ＩＤタグ用質問器搭載化粧箱に有線等にて携帯端末を接続する。この携帯端末は、ＲＦ−ＩＤタグ用ＲＦ−ＩＤタグ用質問器搭載化粧品箱が収納するＲＦ−ＩＤ付き化粧品等及びＲＦ−ＩＤタグ搭載利用者ＩＤカードを自動認識後にインターネットを介して、サーバーシステムに自動認識結果を送信する。サーバーシステムは、自動認識結果等により利用者に最適なメイク方法を選択後、インターネットを介して、携帯端末に最適なメイク方法を送信する。携帯端末は、サーバーシステムより送信された最適なメイク方法を表示画面に表示することで、課題の解決をはかるものである。【選択図】        図４
2006106951.tif 000002
【特許請求の範囲】
【請求項１】
ＲＦ−ＩＤタグを装着する化粧品及び化粧道具と、前記ＲＦ−ＩＤタグ用質問器と、化粧品及び化粧道具を利用する利用者情報読み取り手段と、通信端末と、化粧品及び化粧道具を保管する保管手段とを備えた化粧箱を利用した化粧品管理システムであって、
前記通信端末はネットワークを介してセンターサーバーシステムに接続されており、前記化粧品及び化粧道具に関する情報ならびに利用者情報読み取り手段からの情報をセンターサーバーシステムに送信し、センターサーバーシステムでは、予め登録された利用者データと前記利用者情報読み取り手段からの情報とを照合し、登録された利用者であると認識できるときは当該化粧品及び化粧道具に関する情報にもとづき最適な提供情報を選択し、選択された情報をネットワークを介して、前記通信端末に送信することを特徴とする化粧品管理システム。
【請求項２】
請求項１記載のセンターサーバーシステムは、利用者ごとの購入履歴データ部を備えており、当該センターサーバーシステムとネットワークを介して接続された店舗システム側から前記購入履歴データ部の購入履歴を自動記録することを特徴とする化粧品管理システム。
【請求項３】
請求項２記載の店舗システムは、ＲＦ−ＩＤタグを装着する化粧品及び化粧道具からの情報を取得するＲＦ−ＩＤタグ用質問器と、化粧品及び化粧道具の利用者情報読み取り手段と、通信端末とを備え、前記化粧品及び化粧道具に関する情報ならびに利用者情報読み取り手段からの情報をセンターサーバーシステムに送信し、センターサーバーシステムでは、予め登録された利用者データと前記利用者情報読み取り手段からの情報とを照合し、登録された利用者であると認識できるときは当該化粧品及び化粧道具に関する情報にもとづき利用者の化粧品を購入時の最適な提供情報を選択し、選択された情報をネットワークを介して店舗システムに送信することを特徴とする化粧品管理システム。
【請求項４】
請求項１または２記載の最適な提供情報は、利用者への最適な助言または最適メイク方法であることを特徴とする化粧品管理システム。
【発明の詳細な説明】
【技術分野】
【０００１】
本発明は、物流分野等で普及が見込まれているＲＦ−ＩＤ（無線周波数識別：Ｒａｄｉｏ
Ｆｒｅｑｕｅｎｃｙ  Ｉｄｅｎｔｉｆｉｃａｔｉｏｎ）技術を利用したＲＦ−ＩＤタグシステムに関するものである。
特に、本発明は、ＲＦ−ＩＤタグ用質問器搭載化粧箱とＲＦ−ＩＤタグ付き化粧品等を用いたネットワーク対応型の化粧品管理システムに関するものである。
【背景技術】
【０００２】
ＲＦ−ＩＤタグシステムを利用した収容物を自動認識する発明は、特許文献１で開示している。
特許文献１で開示されている発明は、自動冷蔵システムであって、食品のパッケージ等に付された非接触式ＩＣタグのＩＣメモリに記録された食品の内容物、保存条件に関する情報を非接触ＩＣタグリーダ付き冷蔵庫が読み取ることにより、食品を最適の条件で冷蔵することを特徴するものである。
また、特許文献１では、非接触ＩＣタグのＩＣメモリに記録された食品の内容物、消費期限、賞味期限に関する情報を非接触ＩＣタグリーダ付き冷蔵庫が読み取ることにより、消費期限や賞味期限が間近になった場合に警告を発することを特徴とするものである。
また、特許文献１では、非接触式ＩＣタグ用リーダ付き冷蔵庫は、表示部と食品情報に関するデータベースを有し、利用者に予め記録してある調理方法等の情報を提供することを特徴とするものである。
なお、特許文献１では、家庭等で利用される大型冷凍冷蔵庫を前提としてしており、冷蔵庫それ自体の可搬性は考慮していないものである。
【０００３】
【特許文献１】特開２００１−３１７８６２
【０００４】
しかしながら、化粧品箱のような可搬性が要求される利用形態の場合は、化粧品箱それ自体の紛失の危険性が生じることになる。このため、可搬性が要求される化粧箱は、特許文献１の非接触ＩＣタグリーダ付き冷蔵庫と同じく化粧箱自体にデータベースを保有する構成にすると、紛失時に個人情報の安全性の問題が生じる。
さらに、利用者の立場では、一般的には負荷を負うことなくデータベースが最新情報に更新されることが望ましい。
しかし、特許文献１の非接触タグリーダ付き冷蔵庫では調理方法等に関しては、予め記録している情報のみを活用して、表示装置に助言情報を表示しているのみである。さらに、特許文献１では、調理方法等の情報の更新は考慮ていないものである。
さらに、化粧品購入時等に販売店の店頭にて店員は、利用者である顧客への助言の質を向上させる目的で、利用者購入履歴等のデータベースの活用を欲する場合がある。しかし、特許文献１の非接触タグリーダ付き冷蔵庫では、利用者のみがデータベースを活用するものである。
【発明の開示】
【発明が解決しようとする課題】
【０００５】
このため、特許文献１の発明のように箱自体にデータベースを持つ構成を個人情報の安全性に配慮した可搬性がある化粧箱に利用したのでは、安全性が保てないという課題がある。
そこで、本発明は、個人情報の安全性に配慮した可搬性がある化粧箱で、ＲＦ−ＩＤタグシステム利用して収容物である化粧品及び化粧道具を自動認識し、この自動認識結果と利用者の負担なく更新された最新情報をもとに、利用者に最適なメイク方法等の助言情報を利用者が求める場合にいつでもどこでも提供可能とし、かつ、化粧品購入時等に販売店の店員等も活用可能な化粧品管理システムの提供を目的とする。
【課題を解決するための手段】
【０００６】
本発明の化粧品管理システムは、以下の態様により上記課題を解決するものである。
本発明の第１の態様は、ＲＦ−ＩＤタグ（１）を装着する化粧品（２）及び化粧道具（３）と、前記ＲＦ−ＩＤタグ用質問器（９）と、化粧品及び化粧道具を利用する利用者情報読み取り手段と、通信端末（１７）と、化粧品及び化粧道具を保管する保管手段とを備えた化粧箱（８）を利用した化粧品管理システムであって、前記通信端末（１７）はネットワーク（２０）を介してセンターサーバーシステム（２１）に接続されており、前記化粧品（２）及び化粧道具（３）に関する情報ならびに利用者情報読み取り手段からの情報をセンターサーバーシステム（２１）に送信し、センターサーバーシステム（２１）では、予め登録された利用者データ部（２５）と前記利用者情報読み取り手段からの情報とを照合し、登録された利用者であると認識できるときは当該化粧品及び化粧道具に関する情報にもとづき最適な提供情報を選択し、選択された情報をネットワークを介して、前記通信端末に送信することを特徴とする化粧品管理システムである。
【０００７】
本発明の第２の態様は、第１の態様のセンターサーバーシステム（２１）は、利用者ごとの購入履歴データ部（２３）を備えており、当該センターサーバーシステム（２１）とネットワーク（２０）を介して接続された店舗システム（２２）側から前記購入履歴データ部（２３）の購入履歴を自動記録することを特徴とする化粧品管理システムである。
【０００８】
本発明の第３の態様は、第２の態様記載の店舗システム（２２）は、ＲＦ−ＩＤタグ（１）を装着する化粧品（２）及び化粧道具（３）からの情報を取得するＲＦ−ＩＤタグ用質問器（９）と、通信端末（１７）とを備え、前記化粧品及び化粧道具に関する情報ならびに利用者情報読み取り手段からの情報をセンターサーバーシステム（２１）に送信し、センターサーバーシステム（２１）では、予め登録された利用者データ部（２５）と前記利用者情報読み取り手段からの情報とを照合し、登録された利用者であると認識できるときは当該化粧品及び化粧道具に関する情報にもとづき利用者の化粧品を購入時の最適な提供情報を選択し、選択された情報をネットワーク（２０）を介して店舗システム（２２）に送信することを特徴とする化粧品管理システムである。
【０００９】
本発明の第４の態様は、第１の態様又は第２の態様の記載の最適な提供情報は、利用者への最適な助言又は最適メイク方法であることを特徴とする化粧品管理システムである。
【発明の効果】
【００１０】
本発明の化粧品管理システムでは、ＲＦ−ＩＤタグ利用自動認識システムであるため、利用者及び店員の操作上の負担が少なく、コンピュータシステムに不慣れな方でもすぐに利用できる。
また、本発明の化粧品管理システムは、センターサーバーよりの助言情報の入手は、いつでも、どこでも可能なため、外出時の化粧直し時にも有効に利用できる。
また、本発明の化粧品管理システムでは、可搬性のある化粧箱を利用しているが、センターサーバーに個人情報が格納されているために安全性も確保できる。
さらに、本発明の化粧品管理システムは、店員もセンターサーバーの購入履歴等の確認が容易であり、店頭での利用者のへの最適な助言に活用が可能なものであり、販売店の顧客固定化の一助になるものである。
このため、利用者のみならず、販売店の双方に有効な化粧品管理システムである。
【発明を実施するための最良の形態】
【００１１】
以下、本発明の化粧品管理システムについて、図面を参照して説明する。図１はＲＦ−ＩＤタグを化粧品に装着した外観図、図２はＲＦ−ＩＤタグを化粧道具に装着した外観図、図３はＲＦ−ＩＤタグ搭載利用者ＩＤカードの外観図、図４はＲＦ−ＩＤタグ用質問器搭載化粧箱の構成図、図５はシステムの全体を説明するための全体システム構成図である。
なお、ＲＦ−ＩＤタグ１とは、ＲＦ−ＩＤタグシステムの応答器であり、ＩＳＯ／ＩＥＣ１５６９３等にて規格化されているものを採用する。
ＲＦ−ＩＤタグ１の構成について、構成について以下に概説する。
ＲＦ−ＩＤタグ１は、アンテナパターン（図示せず。）とＲＦ−ＩＤタグ用チップ（図示せず。）とからなるものである。アンテナパターンとＲＦ−ＩＤタグ用ＩＣチップの接続部は、ポリエステルフィルム上にシルク印刷にて導電性インキを印刷後に乾燥させて形成する。この状態は、アンテナシートと称している。このアンテナシートのＲＦ−ＩＤタグ用ＩＣチップの接続部には、メモリ素子として電気的に書き換え可能なＥＥＰＲＯＭを搭載したＲＦ−ＩＤタグ用ＩＣチップを実装する。具体的には、ＲＦ−ＩＤタグ用ＩＣチップの接続パットにハンダバンプを形成し、回路面を下にして、ＡＣＦによるフィリップチップ実装法によりアンテナシートのＲＦ−ＩＤタグ用ＩＣチップの接続部に実装する。アンテナシートにＲＦ−ＩＤチップを実装したものをインレイ４等と称している。このインレイ４の両側をポリエステルフィルム等で被覆したものが、ＲＦ−ＩＤタグ１である。
【００１２】
図３のＲＦ−ＩＤタグ搭載利用者ＩＤカード５とは、インレイ４をカード基材に実装したプラスチックカードの一例である。具体的には、インレイ４の両側に接着シートと乳白ＰＥＴ−Ｇフィルム等の順に積層し、平プレスにて加熱加圧することで、一体化後にプラスチックカードサイズ（ＩＳＯ／ＩＥＣ  ７８１６  ＩＤ−１型）に仕上げ抜きしたＩＤカードである。
なお、ＲＦ−ＩＤタグ搭載利用者ＩＤカード５の表面の片側には、利用者の氏名等を記入するサインパネル６を形成する。さらに、例えば、ＲＦ−ＩＤタグ搭載利用者ＩＤカード５の初期発行時には、シリアル番号などＥＥＰＲＯＭに入力し、このシリアル番号をＲＦ−ＩＤタグ搭載利用者ＩＤカード５の表面に目視可能な刻印番号７として刻印する。
これは、後述するエンボッサー等の特別なＩＤカード発行機器を必要とせずに販売店の店頭でのＲＦ−ＩＤタグ搭載利用者ＩＤカード５の即時発行を可能とする処置である。
【００１３】
図４には、ＲＦ−ＩＤタグ用質問器搭載化粧箱８の構成を示す。化粧道箱にＲＦ−ＩＤタグ用質問器９を搭載したものである。ＲＦ−ＩＤタグ用質問器９とは、ＲＦ−ＩＤタグ用アンテナ１０とＲＦ−ＩＤタグ用アンテナ通信制御回路部１１及び電源回路部１２及び外部接続回路部１３等の回路部９ａを有し、電源回路部１２には着脱可能な充電池１４が接続され、外部接続回路１３には外部接続コネクター１５が接続されるものである。さらに、この外部接続コネクター１５は、両端に接続コネクターを有する接続ケーブル１６を接続し、通信端末１７の接続端子部１８と接続するためのものである。
また、このＲＦ−ＩＤタグ用アンテナ１０の通信範囲は、ＲＦ−ＩＤタグ用質問器搭載化粧箱８に収容されているすべてのＲＦ−ＩＤタグ付き化粧品１及び化粧道具２を自動認識しなければならないため、ＲＦ−ＩＤタグ用質問器搭載化粧箱８内側全体に及ぶものである。
さらに、ＲＦ−ＩＤタグ用質問器搭載化粧箱８が、金属製品等の上に置かれたとき又は金属製品の近くに置かれたときは、ＩＳＯ／ＩＥＣ１５６９３等のＲＦ−ＩＤタグシステムではデータ交信等が電磁誘導方式を採用しているために金属影響を受けて、ＲＦ−ＩＤタグ付き化粧品１及び化粧道具２が自動認識できなる不都合が生じる。
このため、ＲＦ−ＩＤタグ用質問器搭載化粧箱８の内側には、金属製品の影響を排除可能なフライト材料１９等を貼り、その上のＲＦ−ＩＤタグ用アンテナ１０を形成した。
さらに、ＲＦ−ＩＤタグ用質問器搭載化粧箱８には多種類、多数のＲＦ−ＩＤタグ付き化粧品１及び化粧道具２が収容される。自動認識時には、多種類、多数のＲＦ−ＩＤタグ付き化粧品１及び化粧道具２から一斉に応答されるので、応答データのコリジョン（衝突）が生じる。このため、すべてのＲＦ−ＩＤタグ１のメモリ素子に異なる識別ＩＤを事前に記録しておき、この識別ＩＤ別にＲＦ−ＩＤ質問器９が順次交信することで、自動認識を可能とした。
【００１４】
図５に本発明の全体システム構成を示す。通信端末１７とは、ＲＦ−ＩＤタグ用質問器搭載化粧箱８の外部接続コネクター１５と両端に接続コネクターを有する接続ケーブル１６を介して接続するための外部接続コネクター１８を有し、液晶画面等の表示装置とタッチパネル等の入力装置と無線にてネットワーク２０に接続するための無線通信機能を備えた機器である。具体的には、ノートパソコン、携帯電話、ＰＤＡ（Ｐｅｒｓｏｎａｌ  Ｄｉｇｉｔａｌ  Ａｓｓｉｓｔａｎｃｅ）等である。
【００１５】
販売店が運営するサーバーシステム２１とは、ネットワーク２０を介して、通信端末１７には無線にて、店舗システム２２には有線若しくは無線にて接続されるサーバーシステムである。
このサーバーシステム２１上では、店舗等での利用者が購入する化粧品及び化粧道具等の購入履歴を登録する購入履歴データ部２３と利用者に適切にメイク方法を提供するために数々のメイク方法を収容するメイクデータ部２４と利用者の氏名、暗証番号等のＩＤ情報を収容する利用者データ部２５が形成されている。
【００１６】
店舗システム２２とは、ＲＦ−ＩＤタグ用質問器９が接続するための外部接続装置インターフェース、液晶表示等の表示装置、キーボート等の入力装置、販売店が運営するサーバーシステム２１にネットワーク２０を介して有線若しくは無線にて接続するための通信制御機能等を備える機器である。具体的には、ノートパソコン、ＰＯＳ（Ｐｏｉｎｔ  Ｏｆ  Ｓａｉｅｓ）レジシステム等である。
【００１７】
本発明の化粧品管理システムの利用方法について、以下に説明する。
＜利用者登録＞
１．消費者が、販売店にて、ＲＦ−ＩＤタグ用質問器搭載化粧箱８を購入する。
２．販売店の店員は、ＲＦ−ＩＤタグ用質問器搭載化粧箱８を購入した消費者、即ち、利    用者に例えば店頭にて利用者登録用紙を手渡し、氏名、住所、メールアドレス、暗証    番号、アレルギー情報等の必要事項の記入を依頼する。
３．販売店の店員は、利用者より、利用者が必要事項を記入済みの利用者登録用紙を回収    する。
４．販売店の店員は、販売店の店舗システム２２を操作し、利用者登録モードに設定し、    ネットワーク２０を介して、販売店が運営しているサーバーシステム２１にアクセス    する。店舗システム２２より、販売店の店員は、利用者登録用紙の記載事項を入力し    、販売店が運営しているサーバーシステム２１上の利用者データ部２５に利用者デー    タとして登録する。なお、販売店の店員は、ＲＦ−ＩＤタグ搭載利用者ＩＤカード５    の表面に目視可能な刻印番号７も店舗システム２２より合わせて入力する。これは、    利用者に手渡したＲＦ−ＩＤタグ搭載利用者ＩＤカード５と利用者データとの整合性    をはかるためのものである。
５．販売店の店員は、店舗システム２２は、ネットワーク２０を介して、販売店が運営し    ているサーバーシステム２１上の利用者データ部に登録された利用者デーダより、販    売店が運営しているサーバーシステム２１上で生成された利用者ＩＤコード等のＲＦ    −ＩＤタグ搭載利用者ＩＤカード５のメモリ素子に登録する発行データを入手する。  
６．販売店の店員は、店舗システム２２に接続されたＲＦ−ＩＤタグ用質問器９にＲＦ−    ＩＤタグ搭載利用者ＩＤカード５をかかげて、発行データをメモリ素子に登録する。    
７．販売店の店員は、ＲＦ−ＩＤタグ用質問器搭載化粧箱８の利用者に発行処理済みＲＦ    −ＩＤタグ搭載利用者ＩＤカード５を手渡すことで、販売店での店頭でのＲＦ−ＩＤ    タグ搭載利用者カード５の発行処理が終了する。
８．利用者は、販売店の店員より、ＲＦ−ＩＤタグ搭載利用者カード５を手渡された後、    サインパネル６に筆記用具を用いて氏名を記入する。
【００１８】
＜化粧品、化粧道具等の購入時の登録＞
１．利用者は、販売店にて、ＲＦ−ＩＤタグ付き化粧品２及び化粧道具３を選び、ＲＦ−    ＩＤタグ搭載利用者ＩＤカード５ともに店員に手渡す。なお、ＲＦ−ＩＤタグ付き化    粧品１及び化粧道具２のＲＦ−ＩＤタグのメモリ素子には、化粧品２及び化粧道具３    の製造者等で商品固有の識別コード及び製造年月日、有効期限等が事前に登録されて    いる。
２．店員は、店舗システム２２に接続されたＲＦ−ＩＤタグ用質問器９に、まず、利用者    のＲＦ−ＩＤタグ搭載利用者ＩＤカード５をかかげ、利用者ＩＤ番号等を認識させた    後にＲＦ−ＩＤタグ付き化粧品１及び化粧道具２をかかげ、識別コード等を認識させ    た後にネットワーク２０を介して、販売店が運営しているサーバーシステム２１上の    購入履歴データ部２３に利用者の購入履歴を自動記録する。
【００１９】
＜化粧品、化粧道具等の購入時等の販売店店頭での店員よりの助言＞
１．販売店の店員は、本願発明を利用して、利用者の化粧品等購入時等の適切な助言も可    能である。即ち、利用者が、販売店訪問時にＲＦ−ＩＤタグ搭載利用者ＩＤカード５    を店員に手渡す。販売店の店員は、店舗システム２２を顧客情報モードに設定し、店    舗システム２２に接続されたＲＦ−ＩＤタグ用質問器９にＲＦ−ＩＤタグ搭載利用者    ＩＤカード５をかかげて、販売店が運営するサーバーシステム２１上の利用者データ    部２５とネットワーク２０を介して認証後、販売店が運営するサーバーシステム２１    上の購入履歴データ部２２や利用者データ部２５にネットワーク２０を介してアクセ    スし、その結果である顧客情報がネットワーク２０を介して店舗システムの表示装置    に表示される。この顧客情報をもとに利用者に最適の化粧品等の紹介が、可能になる    。
２．販売店の店員は、利用者の化粧品等購入時等の適切な助言以外にも、利用者の保有し    ている化粧品等が購入履歴データ部２３より把握されるめ、利用者の保有している化    粧品等を利用した適切なメイク方法の助言も、メイクデータ部２４も参照することで    、店頭でも可能となる。
【００２０】
＜利用者の化粧箱の利用＞
１．利用者は、ＲＦ−ＩＤ付き化粧品２及び化粧道具３及びＲＦ−ＩＤタグ搭載利用者Ｉ    Ｄカード５を収容しているＲＦ−ＩＤタグ用質問器搭載化粧箱８の外部接続コネクタ    ー１５に両端に接続コネクターを有するケーブル１６で接続し、さらに両端に接続コ    ネクターを有するケーブル１６の他の端に通信端末１７の接続コネクター部１８を接    続する。これにより、通信端末１７は、ＲＦ−ＩＤタグ用質問器搭載化粧箱８に収容    されているＲＦ−ＩＤタグ付き化粧品１及び化粧道具２、ＲＦ−ＩＤタグ搭載利用者    ＩＤカードを自動認識することが可能になる。
２．利用者は、通信端末１７を操作し、ネットワーク２０を介して、販売店の運営するサ    ーバーシステム２１にアクセスする。
３．利用者は、通信端末１７より、暗証番号を入力する。この暗証番号とＲＦ−ＩＤタグ    搭載利用者ＩＤカード５より自動認識した利用者ＩＤ番号は、通信端末１７にて暗号    化され、ネットワーク２０を介して、販売店の運営するサーバーシステム２１上にに    送られる。販売店の運営するサーバーシステム２１上では、通信端末１７より送られ    た暗号化された暗証番号と利用者ＩＤ番号を復号化し、事前に登録されている利用者    データ部２５の利用者ＩＤ番号と暗証番号と照合することで、本人認証を実施する。    
４．販売店の運営するサーバーシステム２１は、利用者が本人であると認証された場合の    み以後の処理を実施する。
５．通信端末等を利用したＲＦ−ＩＤタグ用質問器搭載化粧箱８に収容されたＲＦ−ＩＤ    タグ付き化粧品１及び化粧道具２の自動認識結果が、ネットワークを介して、販売店    の運営するサーバーシステム２１に送られ、販売店の運営するサーバーシステム２１    上の購入履歴データ部と照合される。この照合結果の一覧が、通信端末１７の表示装    置に表示される。なお、通信端末１７の表示装置の画面に表示された照合の結果の一    覧表には、化粧品の有効期限等の情報を合わせて表示する。自動認識結果で有効期限    が間近に迫った化粧品がＲＦ−ＩＤタグ用質問器搭載化粧箱８の中にある場合には、    通信端末１７の表示装置の画面に表示して利用者に注意を促すためのである。
６．利用者は、メイク方法の助言を得たい場合には、通信端末１７を操作し、販売店の運    営するサーバーシステム２１上のメイクデータ部２４にアクセスする。販売店の運営    するサーバーシステム２１上では、ＲＦ−ＩＤタグ用質問器搭載化粧箱８に収容され    ているＲＦ−ＩＤ付き化粧品１及び化粧道具２及びＲＦ−ＩＤタグ搭載利用者ＩＤカ    ードが自動認識された結果と、さらに、利用者のアレルギー情報なども利用者データ    部２５に記録されていいるため、これを考慮して利用者に適切なメイク方法を選別し    、ネットワーク２０を介して、通信端末１７の表示装置の画面に表示することで、利    用者へのメイク方法の助言をいつでもどこでも可能にするものである。
【００２１】
＜変形実施例＞
上記実施例では、本発明の基本構成での実施形態で説明してきたが、本発明はこれに拘泥されることなく、数々の実施形態が可能であることを付記し、以下にその一例を示す。
ＲＦ−ＩＤタグ用質問器搭載化粧箱８と通信端末１７は、両端に接続コネクターを有するケーブル１６で接続して使用することで説明したが、ＲＦ−ＩＤタグ用質問器搭載化粧箱８と通信端末１７の間のデータ伝送は、赤外線方式や電磁誘導方式等の非接触近接通信方式を用いて実施しても良い。
さらに、ＲＦ−ＩＤタグ用質問器搭載化粧箱８は、通信端末１７は分離している状態で説明したが、ＲＦ−ＩＤタグ用質問器搭載化粧箱８と通信端末１７が一体型化されいる構成でもあっても良い。
【００２２】
ＲＦ−ＩＤタグ１を金属材料に密着させた場合にＲＦ−ＩＤタグ１が、動作しなくなる問題がある。これは、ＲＦ−ＩＤタグ用質問器９より発信された電磁波が、金属材料表面に渦電流を発生させるための影響である。このため、ＲＦ−ＩＤタグ１が装着される化粧品２の容器に金属材料が採用されていた場合には、ＲＦ−ＩＤタグ用アンテナ１０と金属材料の間にフェライト等の粉末又はフレークを練り込んだプラスチックの複合材料を挟み込み、金属材料の影響を排除するもとする。
【００２３】
さらに、小型軽量なＲＦ−ＩＤタグ通信機能搭載肌センサーデバイスにより、利用者本人の肌の状態も測定することも合わせて実施しても良い。
具体的には、利用者は、小型軽量なＲＦ−ＩＤタグ通信機能搭載肌センサーデバイスでの肌状態を測定後に、通信端末１７と接続されたＲＦ−ＩＤ質問器搭載化粧箱８に入れれば、肌状態の測定結果である肌データが自動認識される。その後、利用者は、通信端末１７を操作し、ネットワーク２０を介して、肌データを販売店の運営するサーバーシステム２１に送り、販売店の運営するサーバーシステム２１上では、肌データを考慮し、自動認識したＲＦ−ＩＤ付き化粧品１及び化粧道具２や利用者データ部２５の利用者データも考慮して、現在の利用者の肌状態に応じた適切なメイク方法を通信端末１７の画面に表示するものを加えても良い。
【産業上の利用可能性】
【００２４】
本願発明の携帯可能な化粧品箱は、収容される化粧品等の収容物及びＩＤカードのＩＤ情報を自動認識が可能である。さらに、利用者は、いつでもどこでも、必要に応じて、自動認識結果を通信端末よりネットワークを介して、センターサーバーシステムに送ることが可能である。さらに、センターサーバーシステム上では予め登録されている情報等を比較考量等して、ネットワークを介して、携帯可能な化粧箱に収容されている収容物を使用して助言情報を通信端末の表示装置に表示するものである。
本発明は、化粧箱にもとづき説明したが、化粧箱に拘泥されることなく、可搬型の収容箱の中に収容している物を有効に活用するべく、いつでもどこでも助言情報が得られる情報提供システムである。本願発明と同一構成で、電気製品修理者等の工具箱やカメラマンのバックや家庭用の救急箱等で活用が可能であるため、広範囲な業種及び家庭利用での可搬型の収容箱での利用が可能である。
【図面の簡単な説明】
【００２５】
【図１】ＲＦ−ＩＤタグを化粧品に装着した外観図
【図２】ＲＦ−ＩＤタグを化粧道具に装着した外観図
【図３】ＲＦ−ＩＤタグ搭載利用者ＩＤカードの外観図
【図４】ＲＦ−ＩＤタグ用質問器搭載化粧箱の構成図
【図５】全体システム構成図
【符号の説明】
【００２６】
１……ＲＦ−ＩＤタグ
２……化粧品
３……化粧道具
４……インレイ
５……ＲＦ−ＩＤタグ搭載利用者ＩＤカード
６……サインパネル
７……刻印番号
８……ＲＦ−ＩＤタグ用質問器搭載化粧箱
９……ＲＦ−ＩＤタグ用質問器
９ａ…ＲＦ−ＩＤタグ用質問器の回路部
１０…ＲＦ−ＩＤタグ用アンテナ
１１…ＲＦ−ＩＤタグ用アンテナ通信制御回路部
１２…電源回路部
１３…外部接続回路部
１４…充電池
１５…外部接続コネクター
１６…両端に接続コネクターを有するケーブル
１７…通信端末
１８…接続コネクター部
１９…フライト材料
２０…ネットワーク
２１…販売店が運営するサーバーシステム
２２…店舗システム
２３…購入履歴データ部
２４…メイクデータ部
２５…利用者データ部
【図１】
2006106951.tif 000003
【図２】
2006106951.tif 000004
【図３】
2006106951.tif 000005
【図４】
2006106951.tif 000006
【図５】
2006106951.tif 000007